(57)【要約】 【課題】幅の異なるビードコアを製造する。 【解決手段】ビードワイヤ２１をビードコアの幅方向に螺旋巻きしたワイヤ列２２を含むビードコア２０を製造するための円環状のフォーマ１である。フォーマ１は、外周面２ａ上に、ビードワイヤ２１を巻付けるための円周方向にのびる周溝４を有する本体部２と、本体部２に対して相対的に移動して周溝４の幅を変更するための幅調節部３とを含む。【選択図】図１
2018001733.tif 000002
【特許請求の範囲】
【請求項１】
ビードワイヤをビードコアの幅方向に螺旋巻きしたワイヤ列を含むビードコアを製造するための円環状のフォーマであって、
前記フォーマは、外周面上に、前記ビードワイヤを巻付けるための円周方向にのびる周溝を有する本体部と、前記本体部に対して相対的に移動して前記周溝の幅を変更するための幅調節部とを含むことを特徴とするビードコア形成用フォーマ。
【請求項２】
前記周溝は、前記ビードワイヤが載置される溝底面と、前記溝底面よりもビードコアの径方向内側にのびる凹部とを有し、
前記幅調節部は、前記凹部と嵌り合う位置決め用の突部を有する請求項１記載のビードコア形成用フォーマ。
【請求項３】
前記凹部は、ビードコアの幅方向に複数設けられる請求項２記載のビードコア形成用フォーマ。
【請求項４】
前記幅調節部は、前記本体部にネジ部材で固定される請求項１乃至３のいずれかに記載のビードコア形成用フォーマ。
【請求項５】
前記幅調節部は、円周方向に間欠的に複数設けられる請求項１乃至４のいずれかに記載のビードコア形成用フォーマ。
【発明の詳細な説明】
【技術分野】
【０００１】
本発明は、幅の異なるビードコアを製造し得るビードコア形成用フォーマに関する。
【背景技術】
【０００２】
従来、図６に示されるように、タイヤ（図示省略）の構成部材であるビードコアｅを製造するためのフォーマａとして、円周方向にのびる周溝ｂが設けられた円環状のものが知られている。ビードコアｅは、ビードワイヤｃを周溝ｂの溝底面ｈに載置して螺旋巻きしながらビードコアの径方向の外側に巻き重ねて形成される。
【０００３】
しかしながら、このようなフォーマａでは、周溝ｂの幅ｋと同じ幅を有するビードコアしか製造することができなかった。このため、幅の異なるビードコアｅを製造するには、幅ｋの異なる周溝ｂを有するフォーマａが必要であるという問題があった。
【先行技術文献】
【特許文献】
【０００４】
【特許文献１】特開２０１３−７８９０２号公報
【発明の概要】
【発明が解決しようとする課題】
【０００５】
本発明は、以上のような問題点に鑑み案出なされたもので、周溝の幅を変更するための幅調節部を設けることを基本として、幅の異なるビードコアを製造し得るビードコア形成用フォーマを提供することを主たる目的としている。
【課題を解決するための手段】
【０００６】
本発明は、ビードワイヤをビードコアの幅方向に螺旋巻きしたワイヤ列を含むビードコアを製造するための円環状のフォーマであって、前記フォーマは、外周面上に、前記ビードワイヤを巻付けるための円周方向にのびる周溝を有する本体部と、前記本体部に対して相対的に移動して前記周溝の幅を変更するための幅調節部とを含むことを特徴とする。 
【０００７】
本発明にかかるビードコア形成用フォーマは、前記周溝が、前記ビードワイヤが載置される溝底面と、前記溝底面よりもビードコアの径方向内側にのびる凹部とを有し、前記幅調節部は、前記凹部と嵌り合う位置決め用の突部を有するのが望ましい。
【０００８】
本発明にかかるビードコア形成用フォーマは、前記凹部が、ビードコアの幅方向に複数設けられるのが望ましい。
【０００９】
本発明にかかるビードコア形成用フォーマは、前記幅調節部が、前記本体部にネジ部材で固定されるのが望ましい。
【００１０】
本発明にかかるビードコア形成用フォーマは、前記幅調節部が、円周方向に間欠的に複数設けられるのが望ましい。
【発明の効果】
【００１１】
本発明は、ビードコアを製造するための円環状のビードコア形成用フォーマである。フォーマは、外周面上に、ビードワイヤを巻付けるための円周方向にのびる周溝を有する本体部と、本体部に対して相対的に移動して周溝の幅を変更するための幅調節部とを含んでいる。このように、本発明のフォーマは、周溝の幅が変更可能であるため、幅の異なるビードコアを形成することができる。
【図面の簡単な説明】
【００１２】
【図１】本発明の一実施形態のビードコア形成用フォーマの斜視図である。
【図２】ビードワイヤが巻き付けられた状態の図１のビードコア形成用フォーマの断面図である。
【図３】（ａ）は、他の実施形態のビードコア形成用フォーマの斜視図、（ｂ）は、（ａ）の断面図である。
【図４】さらに他の実施形態のビードコア形成用フォーマの断面図である。
【図５】さらに他の実施形態のビードコア形成用フォーマの断面図である。
【図６】従来のビードコア形成用フォーマを説明する斜視図である。
【発明を実施するための形態】
【００１３】
以下、本発明の実施の一形態が図面に基づき説明される。
図１には、本実施形態のビードコア形成用フォーマ（以下、単に「フォーマ」という場合がある。）１の斜視図が示される。フォーマ１は、タイヤ（図示省略）の構成部材であるビードコア２０（図２に示す）を製造するためのものである。本実施形態のフォーマ１は、例えば、乗用車用や自動二輪車用等の種々のタイヤに使用されるビードコア２０を製造することができる。
【００１４】
図２は、ビードコア２０が形成された本実施形態のフォーマ１の円周方向に対する直角の断面図である。図２に示されるように、ビードコア２０は、本実施形態では、１本又は複数本の並列したビードワイヤ２１をビードコア２０の幅方向（以下、単に「幅方向」という場合がある）にずらせて螺旋巻きしたワイヤ列２２を含んで形成されている。本実施形態のビードコア２０は、このワイヤ列２２がビードコア２０の径方向（以下、単に「径方向」という場合がある）に多段に重ねられている。各図には、幅方向がＸ、径方向がＹで示される。
【００１５】
ビードワイヤ２１は、非伸縮性であれば特に限定されないが、例えば、タイヤのビード部（図示省略）の剛性や成形性の確保の観点より、周囲にゴムを被覆したスチールワイヤが望ましい。
【００１６】
図１に示されるように、フォーマ１は、本実施形態では、円周方向にのびる円環状で形成されている。本実施形態のフォーマ１は、外周面２ａ上に、ビードワイヤ２１（図２に示す）を巻付けるための円周方向にのびる周溝４を有する本体部２と、本体部２に対して相対的に移動して周溝４の幅ｗを変更するための幅調節部３とを含んでいる。本明細書では、周溝４の幅ｗは、ビードワイヤ２１が巻付けられる領域の幅をいう。
【００１７】
本体部２は、例えば、径方向に拡縮可能な複数個のセグメント２Ａを含んで構成されている。これにより、ビードワイヤ２１の巻付け後、セグメント２Ａを縮径することにより、本体部２の周溝４から容易にビードコア２０を取り外すことができる。なお、セグメント２Ａを拡縮する手段としては、周知構造のものが採用される（図示省略）。
【００１８】
図２に示されるように、周溝４は、本実施形態では、ビードワイヤ２１が載置される溝底面５と、溝底面５と外周面２ａとを継ぐ一対の内側面６、６と、溝底面５よりも径方向の内側にのびる凹部７とを有している。
【００１９】
周溝４は、本実施形態では、円周方向に対し直角の断面視、矩形状に形成されている。なお、周溝４は、このような態様に限定されるものではなく、例えば、溝底面５が、幅方向の一端５ｅから他端５ｉまで径方向に連続して傾斜した台形状（図示省略）のものでも良い。
【００２０】
溝底面５は、本実施形態では、実質的に円周方向に連続してのびている。前記「実質的」とは、例えば、円周方向に隣り合うセグメント２Ａ、２Ａ間で、ビードコア２０の円周方向の長さを確保するための隙間（図示省略）等が設けられた態様を含むものである。
【００２１】
内側面６は、本実施形態では、少なくとも一方（図２では右側の内側面６Ａ）が、周溝４と逆側に凹む孔部８を含んでいる。なお、他方の内側面６Ｂは、本実施形態では、孔部８が形成されることなく、径方向に沿って直線状にのびている。
【００２２】
孔部８は、本実施形態では、前記断面視、矩形状に形成されている。
【００２３】
凹部７は、本実施形態では、幅方向に複数設けられている。凹部７の幅方向ピッチｐは、ビードワイヤ２１の径ｄと同じ長さに設定されているのが望ましい。
【００２４】
凹部７は、円周方向に対して直角の断面視、径方向の外側に向かって凹となるテーパ面７ａである。なお、凹部７の断面形状は、このようなものに限定されるものではなく、例えば、矩形状や半円弧状のものでも良い。
【００２５】
幅調節部３は、本実施形態では、周溝４内で多段に重ねられたビードワイヤ２１を保持する保持部１０と、保持部１０に接続されて保持部１０よりも小さい径方向の高さを有するスライド部１１とを含んでいる。
【００２６】
保持部１０は、本実施形態では、前記断面視、ビードコア２０の幅方向の端面２０Ａと接し径方向にのびる径方向面１０ａと、溝底面５に沿ってのびる幅方向面１０ｂとを含む略矩形状で形成されている。
【００２７】
径方向面１０ａは、少なくとも、径方向の最も外側に配されたワイヤ列２２ａの端面２０Ａと接する高さを有していれば良い。
【００２８】
幅方向面１０ｂは、本実施形態では、溝底面５と接する当接面１２と、凹部７と嵌り合う突部１３とを有している。突部１３は、本実施形態では、径方向の内側に向かって凸となるテーパ面１３ａである。幅方向面１０ｂは、幅方向の長さｗ１が、ビードワイヤ２１の径ｄ以上であるのが望ましく、本実施形態では、ビードワイヤ２１の径ｄと同じ長さである。
【００２９】
スライド部１１は、本実施形態では、孔部８内に配される。そして、スライド部１１は、ネジ部材１４によって本体部２に固着される。具体的には、ネジ部材１４は、孔部８の径方向外側の外周面２ａに設けられた取付孔１５に螺合して、スライド部１１を孔部８に圧着固定し得る。ネジ部材１４としては、ビスやボルト等の種々のものが採用される。ネジ部材１４は、１つのセグメント２Ａに対して少なくとも１本以上設けられ、幅調節部３の確実な固定を考慮すると、１つのセグメント２Ａに対して２本以上設けられるのが望ましい。
【００３０】
図１に示されるように、幅調節部３は、本実施形態では、円周方向に間欠的に複数設けられている。幅調節部３は、本実施形態では、本体部２の各セグメント２Ａのそれぞれに設けられている。なお、幅調節部３は、このような態様に限定されるものではなく、精度良くビードワイヤ２１を巻付ける範囲において、任意の個数を取り得る。
【００３１】
このようなフォーマ１では、保持部１０を周溝４内で幅方向に移動させることによって、幅の異なるビードコア２０を製造することができる。
【００３２】
また、保持部１０の突部１３と周溝４の凹部７とが嵌り合うため、精度良くかつ容易に、幅調節部３の位置を決めることができる。さらに、凹部７が幅方向に複数設けられることで、幅の異なるビードコア２０を、精度良くかつ容易に製造することができる。また、スライド部１１がネジ固定されるので、ビードワイヤ２１の巻付け時の型崩れを確実に抑制できる。従って、本実施形態のフォーマ１では、精度よくかつ容易に幅の異なるビードコア２０を製造することができる。
【００３３】
図３（ａ）、（ｂ）には、他の実施形態のフォーマ１ａが示される。本実施形態のフォーマ１と同じ構成のものは、同じ符号が付され、その説明が省略される。
【００３４】
この実施形態のフォーマ１ａでは、幅調節部３は、ネジ部材１６で形成されている。具体的には、幅調節部３は、周溝４内に配される円板状の保持部１７と、保持部１７に接続されかつ本体部２の孔部８に螺着されるネジ部１８とを含んでいる。保持部１７は、ビードコア２０の幅方向の端面２０Ａと接し径方向にのびる径方向面１０ａを有している。このようなフォーマ１ａは、幅調節部３の保持部１７を軸周りに回転させることによって、容易に周溝４の幅ｗを変更して固定することができる。この実施形態の場合、上述の凹部７が省略される。なお、ネジ部材１６は、このような態様に限定されるものではなく、例えば、フォーマ１ａの全ての保持部１７を一度に軸方向に移動し得る構造を有するものでも良い。
【００３５】
図４には、さらに他の実施形態のフォーマ１ｂが示される。図３に示された実施形態のフォーマ１ａと同じ構成のものは、同じ符号が付され、その説明が省略される。この実施形態のフォーマ１ｂでは、幅調節部３は、ネジ部材１６で形成されている。具体的には、幅調節部３は、周溝４内に配される円板状の保持部１７と、保持部１７に接続されかつ本体部２の孔部８に螺着されるネジ部１８と、ネジ部１８に接続されかつ本体部２から突出する位置決め部２５とを含んでいる。本実施形態のフォーマ１ｂでは、本体部２の外側に設けられた位置決め部２５を軸周りに回転することにより、保持部１７の幅方向の位置を決めて固定する。
【００３６】
図５は、さらに他の実施形態のフォーマ１ｃの断面図である。本実施形態のフォーマ１と同じ構成のものは、同じ符号が付され、その説明が省略される。この実施形態のフォーマ１ｂの周溝４は、ビードワイヤ２１が載置される溝底面５が、略半円状かつビードワイヤ２１の半径と略等しい曲率半径をもつ小溝部１９として形成されている。このような小溝部１９は、ビードワイヤ２１を容易に位置決めし得る。
【００３７】
この実施形態では、保持部１０の突部１３は、小溝部１９に嵌り合う径方向内側に向かって凸の半円弧状で形成される。これにより、保持部１０の幅方向移動を効果的に拘束できる。
【００３８】
以上、本発明の特に好ましい実施形態について詳述したが、本発明は図示の実施形態に限定されることなく、種々の態様に変形して実施し得る。
【符号の説明】
【００３９】
１    フォーマ
２    本体部
３    幅調節部
４    周溝
２０    ビードコア
２１    ビードワイヤ
２２    ワイヤ列
【図１】
2018001733.tif 000003
【図２】
2018001733.tif 000004
【図３】
2018001733.tif 000005
【図４】
2018001733.tif 000006
【図５】
2018001733.tif 000007
【図６】
2018001733.tif 000008